(57)【要約】【課題】レンズアレイを用いたディスプレイ装置において、装置本体の厚みを解消し、さらには画像フィルムの交換が容易な薄型のディスプレイ装置を提供することを課題とする。【解決手段】ディスプレイ装置裏面に突出していた駆動源であるモーターをディスプレイ装置に対して平行に横向きに取り付け、駆動部のカムを回転させて回転運動を直線運動に変換することにより画像フィルムをレンズアレイに対して垂直方向に上下に移動することを可能とし、また画像フィルムをディスプレイ装置横からの差込式にすることで上記の課題を解決する。【選択図】    図１０
2004334146.tif 000002
【特許請求の範囲】
【請求項１】
線形の細長いレンズを複数個隣接して並べた構造のレンズアレイと、そのレンズアレイの裏面に配置された画像フィルムと、回転駆動力を発生する回転軸を有する駆動源とを有し、この駆動源の回転駆動力によって画像フィルムをレンズアレイに対して相対的に移動させ、画像フィルム上に分割して存在する複数の画像を切り替えて表示するディスプレイ装置において、駆動源の回転軸をディスプレイ装置に対して平行になるように取りつけることにより、ディスプレイ装置本体の厚みを薄くすることを可能としたディスプレイ装置。
【請求項２】
駆動源であるモーターの回転軸に偏心させたカムを取りつけ、その偏心カムが回転することによって偏心カムに当接するようにスライドレールに設置された固定ピンを上下に移動させ、回転運動を直線運動に変換して画像フィルムを上下方向に移動することを可能とした請求項１記載のディスプレイ装置。
【請求項３】
駆動源であるモーターの回転軸に中心点より偏心させた位置に駆動ピンを持つカムを取りつけて回転させ、バネで引っ張られているスライドレール上に駆動ピンにかかるように設けられた上下ピンを上下に移動させ、カムの回転運動を直線運動に変換することで、画像フィルムを上下方向に移動することを可能とした請求項１記載のディスプレイ装置。
【請求項４】
線形の細長いレンズを複数個隣接して並べた構造のレンズアレイと、そのレンズアレイの裏面に配置された背面プレートと、背面プレートに担持され背面プレートとレンズアレイとの間に位置する画像フィルムと駆動源とを有し、駆動源の駆動力により、画像フィルムを担持する背面プレートをレンズアレイに対して相対的に移動させ、画像フィルム上に分割して存在する複数の画像を切り替えて表示する事を可能としたディスプレイ装置。
【請求項５】
背面プレートとレンズアレイの間に画像フィルムが入るだけの隙間を有し、また背面プレートに画像フィルムの位置を決めるためのフィルム固定ストッパーを上下に設けることで側面から画像フィルムを差し込むことを可能とし、画像フィルムを簡単に交換することができる請求項４記載のディスプレイ装置。
【発明の詳細な説明】
【０００１】
【発明の属する技術分野】
本発明はディスプレイ装置に関し、詳細には、簡単な構成で、複数個の画像を断続的ないし連続して切り替え表示することができるディスプレイ装置に関するものである。
【０００２】
【従来の技術】
特殊な化合物や高度な加工技術を必要とせず、簡単な構造で複数の画像を表示できるディスプレイ装置として、レンズアレイを用い、レンズアレイ裏面に配置された画像フィルムを線形レンズアレイの隣接するレンズ間の距離と等しい距離で周期的に移動させることによって、画像フィルム上に短冊状に分割して交互に描かれた複数の画像を切り替えて表示するものがある。これらのディスプレイ装置は構造が簡単で、駆動源に電池や交流１００Ｖで使用可能なモーターを用い、ギアヘッドなどでモーターの回転数を調整していた。このようなギアヘッド付のモーターはほとんどの場合かなりの全長があり、従来のモーターをディスプレイ装置に対して垂直に設置する方法ではディスプレイ裏面に突出するためディスプレイ本体に厚みが生じ、また、画像フィルムを交換するにはドライバーなどの工具が必要であり、手間がかかるという欠点を有していた。
【０００３】
【発明が解決しようとする課題】
本発明は、上記のようなレンズアレイを用いた従来のディスプレイ装置の厚みを解消すること、さらにはディスプレイ装置の画像フィルムの交換を容易に行えるようにすることを課題とするものである。
【０００４】
【課題を解決するための手段】
上記問題を解決すべく鋭意工夫を重ねた結果、本発明はディスプレイ裏面に突出していた駆動源であるモーターをディスプレイ装置に対して平行になるように横向きに取りつけ、駆動部のカムを回転させてその回転運動を直線運動に変換することにより、画像フィルムをレンズアレイに対して垂直方向に上下に移動することを可能とした。また、画像フィルムをピンなどで固定することなく、画像フィルムを有する背面プレート自体を動かすことによって画像フィルムを横から容易に差し込むことを可能とし、本発明を完成した。
【０００５】
すなわち本発明は、これまでと同様に綺麗で乱れのない画像を表示することを可能としながら、駆動源であるモーターをディスプレイ装置に対して平行になるように横向きに取りつけることによってディスプレイ装置を薄型にし、さらには画像フィルムをディスプレイ装置側面からの差込式にすることで画像フィルムの容易な交換を可能とするものである。
【発明の実施の形態】
以下本発明の実施の形態を図面を参照しながら説明するが、本発明が図示のものに限られる訳ではないことは勿論である。特に、以下に示す実施の形態においては、同じ出願人が特願２００２−３８０７５８号に開示したディスプレイ装置をもとに研究を行ったものであるが、その他のレンズアレイを用いたディスプレイ装置においても適用可能であることは言うまでもない。
【０００６】
図１は、本発明のディスプレイ装置の概略を示す図であり、一部を切り欠いて内部が見えるようにしてある。
【０００７】
図１中の１は本発明のディスプレイ装置であり、ディスプレイ装置１は、背面プレート２、画像フィルム３、レンズアレイ４から構成されている。背面プレート２にはスペーサー５が取りつけられ、レンズアレイ４と背面プレート２との間に画像フィルム３が自在に移動できるだけの空間を残し、位置を規制するものである。６はレンズ固定ピンであり、背面プレート２の裏面から背面プレートに設けられた穴に差し込んでいる。このレンズ固定ピン６はタップ加工を施した溝を有しており、レンズアレイ４に設けた穴にネジ７を通し、レンズ固定ピン６に差し込んでネジ留めすることでレンズアレイ４と背面プレート２を固定するものである。８は駆動源であるモーターで、モーター固定ピン１５によって背面プレート２に固定されている。９はモーターの回転軸に取りつけてある偏心カム、１１は背面プレートに設けられた長穴である。１４はガイドローラーでスライドレール１２を背面プレートに取り付けてあり、またスライドレール１２は固定ピン１０、フィルム固定ピン１３を固定している。１６はアジャストである。
【０００８】
図２は図１における駆動部周辺の拡大図である。背面プレート２には回転駆動する動力を発生する駆動源のモーター８をＵ字型のモーター固定ボルト１５でディスプレイ装置に対して平行になるように取りつけ、モーター８の回転軸に偏心カム９を取りつけている。背面プレート２には長穴１１が設けられ、背面プレート２裏面のスライドレール１２に取りつけた２本の固定ピン１０が上下方向の移動を許容する大きさを有している。固定ピン１０は偏心カム９に当接するように固定されている。１３はスライドレール１２に固定されたフィルムピン１３であり、画像フィルムを取りつける役目を果たしている。
【０００９】
図３は図１のＡ−Ａ’断面図であり、スライドレール１２が上下方向に移動する様子を示した説明図である。モーター８を図示しない電源からの電気エネルギーによって回転し偏心カム９を回転駆動させると、偏心カム９に当接させた固定ピン１０が上下に連続的に移動して回転運動が直線運動に変換され、スライドレール１２を上止点１７（Ｂ）から下止点１８（Ａ）までの範囲で上下方向に連続的に移動させる。また、同じスライドレール１２にはフィルムピン１３を固定し、画像フィルム３を取りつけていることから、画像フィルム３をレンズアレイ４に対して垂直方向に上下させることができる。固定ピン１０の代わりに偏心カム９に当接する内径を有するＵボルト等を使用しても可能であることはいうまでもない。
【００１０】
図４は、背面プレート２の裏面に取りつけられたスライドレール１２の取付方法を示すディスプレイ装置１の上方から見た平面図である。スライドレール１２は４個のガイドローラー１４で側面を固定して左右のがたつきを防止し、上下方向にのみ移動することを可能としている。また同時に、スライドレール１２が浮き上がらないよう、固定する役割を果たしている。上下方向の移動は、スライドレール１２に取り付けた固定ピン１０が長穴１１の許容の範囲内で行われる為、スライドレール１２が背面プレート２から外れることはない。
【００１１】
ここまでは、駆動源であるモーター８をディスプレイ装置１前面にその回転軸をディスプレイ装置に対して平行になるように横向きに取りつけた場合について説明したが、モーター８をディスプレイ装置１裏面に取りつけて使用した場合も同様の効果が得られるものである。図５は、本発明のディスプレイ装置１裏面にモーター８をディスプレイ装置１に対して平行になるように横向きに取りつけた時の一例を示す断面図であり、これまでの図におけるものと同じものには同じ符号を付してある。
【００１２】
図６はレンズアレイ４に対する画像フィルム３の位置関係を調節する手段の詳細を示す図である。画像フィルム３の下端部中央には切れ込み１９が設けられており、この切れ込み１９と対応する位置の背面プレート２にアジャスト１６が設けられている。アジャスト１６は、十字に溝加工を施してある偏心したカムであり、この溝加工はドライバーを差し込んで調整が容易に出来るようにしたものである。
【００１３】
画像フィルム３は画像フィルム３上部をフィルムピン１３で取り付けているため、アジャスト１６を図中矢印方向に回転させると、回転軸が偏心しているためにアジャスト１６は回転とともに破線で示す位置に移動し、その結果、画像フィルム３の切れ込み１９は切れ込み１９’の位置まで移動する。これにより、レンズアレイ４の裏面に平行な面内でのレンズアレイ４に対する画像フィルム３の位置関係を調節することが可能となる。アジャスト１６の回転による位置関係の調節は、レンズアレイ４の表側に表示される画像を見ながら適正な画像表示が得られる位置を探すことによって容易に行うことができる。
【００１４】
図７は、本発明のディスプレイ装置の他の一例を示す概略図であり、図８は図７における駆動部周辺の拡大図である。駆動源のモーター８に中心点より偏心させた位置に２本の駆動ピン２１ａ、２１ｂを備えたカム２０を取付けている。背面プレート２には長穴１１が設けられ、スライドレール１２には上下ピン２２が固定されている。また、スライドレール１２にはバネ２３が設けられており、バネ２３の他端を背面プレート２に固定したバネ固定ピン２４にかけてとめてある。
【００１５】
図９は、図７のＢ−Ｂ’断面図であり、スライドレール１２が上下方向に移動する様子を示した説明図である。モーター８を回転させてカム２０を図示する矢印方向に回転駆動させると駆動ピン２１ａが上下ピン２２に当節し、上下ピン２２を上方へ移動させ、スライドレール１２を上止点１７まで持ち上げる（Ａ）。カム２０がさらに矢印方向に回転すると、駆動ピン２１ａは、上下ピン２２から外れ、スライドレール１２はバネ２３の力で下止点１８まで引き戻される。同時に上下ピン２２はカム２０に設けられているもう一方の駆動ピン２１ｂにひっかかる（Ｂ）。さらにカム２０が回転すると駆動ピン２１ｂが上下ピン２２を持ち上げながら上昇し、スライドレール１２を上方へ移動させる（Ｃ）という運動を繰り返し、画像フィルム３をレンズアレイ４に対して垂直方向に上下させる。
【００１６】
図１の偏心カム９を利用したディスプレイ装置１は連続的に画像を変化させたのに対し、図７に記載のバネ２３を用いたものはスライドレール１２が下止点１８で表示される画像から上止点１７で表示される画像まで変化すると、次は下止点１８で表示される画像へと戻って表示することを特徴とする。カム２０に設けられた駆動ピン２１ａと駆動ピン２１ｂの間の設置角度は１８０度以内とし、駆動ピン２１を３本以上何本用いても良い。また、偏心カム９を利用したディスプレイ装置１の場合と同様に、モーター８をディスプレイ装置１裏面に平行になるように横向きに取りつけた場合も使用可能であることはいうまでもない。
【００１７】
図１０は、本発明のディスプレイ装置のさらに他の一例を示す概略図であり、一部を切り欠いて内部が見えるようにしてある。図１１は図１０における駆動部周辺の拡大図である。これまでの図におけるものと同じ部材には同じ符号を付してある。
【００１８】
ディスプレイ装置１は、背面プレート２、画像フィルム３、レンズアレイ４から構成されており、背面プレート２の上下に設けられたフィルム固定ストッパー２５により、画像フィルム３をピンなどで固定することなく位置を規制、固定することが可能である。また、背面プレート２には長穴１１が設けられ、長穴１１にレンズ固定ピン６をはめ込み、ネジ７でレンズアレイ４と背面プレート２の間に画像フィルムが入るだけの隙間を保つ役割を果たしている。長穴１１は、背面プレート２が上下方向に移動する許容を有しているものである。２６は画像フィルム３の抜き差しを容易に行うための切り欠きである。
【００１９】
また図１１に示すように、モーター８の回転軸には偏心カム９を取りつけてあり、背面プレート２に直接固定した２本の固定ピン１０と当接させている。固定ピン１０の代わりに偏心カム９に当接する内径を有するＵボルト等を使用しても可能であることはいうまでもない。
【００２０】
図１２は図１０のＣ−Ｃ’断面図であり、背面プレート２が上下方向に移動する様子を示した説明図である。モーター８を回転させ、偏心カム９を回転駆動すると偏心カム９に当接させた固定ピン１０が上下方向に直線運動し、背面プレート２を上止点１７（Ｂ）から下止点１８（Ｃ）までの範囲で上下方向に連続的に移動させる。背面プレート２には長穴１１が設けられており、上下方向にのみ移動することが可能である。また、フィルム固定ストッパー２５もレンズアレイ４に上下方向に移動する許容を有する有底凹部２７内に設置することで、上下方向の移動を可能としている。
【００２１】
画像フィルム３の交換は背面プレート２とレンズアレイ４の間の隙間にディスプレイ装置１側面から抜き差しするだけで可能であり、画像フィルム３をレンズアレイ４に対して平行になるように切断し、背面プレート２のフィルム固定ストッパー２５内に画像フィルム３を収めれば、交換後の画像調整をせずに画像を表示することが可能である。
【００２２】
今回は図１０に示すように、モーター８をディスプレイ装置１前面に平行になるように横向きに取りつけた場合を例にとって説明したが、モーター８をディスプレイ装置１裏面に平行になるように横向きに取りつけた場合についてはもちろん、ディスプレイ装置１に対して垂直になるよう取りつけた場合でも適応可能であることは言うまでもない。
【発明の効果】
以上説明したように、本発明のディスプレイ装置は回転駆動する動力を発生する駆動源であるモーターをディスプレイ装置に対して平行になるように横向きに固定し、偏心カムや駆動ピンを備えたカムを取り付けて回転運動することによって、画像フィルムをレンズアレイに対して垂直方向に上下に移動する直線運動に変換し、薄型のディスプレイ装置を提供することを可能とした。また画像フィルムを横から差し込むだけで画像を調整することなく、これまでと同様に綺麗で乱れのない画像を表示することを可能とする優れた効果が得られるものである。
【図面の簡単な説明】
【図１】本発明のディスプレイ装置の概略図である。
【図２】本発明のディスプレイ装置の駆動部周辺の拡大図である。
【図３】本発明のディスプレイ装置の一例を示す断面図である。
【図４】本発明のディスプレイ装置のスライドレールの固定方法を説明するディスプレイ装置の上方から見た平面図である。
【図５】本発明のディスプレイ装置１裏面にモーターを横向きに取りつけた場合の一例を示す断面図である。
【図６】レンズアレイに対する画像フィルムの位置関係を調節する手段の一例を示す図である。
【図７】本発明のディスプレイ装置の他の一例を示す概略図である。
【図８】本発明のディスプレイ装置の他の一例を示す駆動部周辺の拡大図である。
【図９】本発明のディスプレイ装置の他の一例を示す断面図である。
【図１０】本発明のディスプレイ装置のさらに他の一例を示す概略図である。
【図１１】本発明のディスプレイ装置のさらに他の一例を示す駆動部周辺の拡大図である。
【図１２】本発明のディスプレイ装置のさらに他の一例を示す断面図である。
【符号の説明】
１              ディスプレイ装置
２              背面プレート
３              画像フィルム
４              レンズアレイ
５              スペーサー
６              レンズ固定ピン
７              ネジ
８              モーター
９              偏心カム
１０              固定ピン
１１              長穴
１２              スライドレール
１３              フィルムピン
１４              ガイドローラー
１５              モーター固定ボルト
１６              アジャスト
１７              上止点
１８              下止点
１９              切り込み
２０              カム
２１ａ、２１ｂ    駆動ピン
２２              上下ピン
２３              バネ
２４              バネ固定ピン
２５              フィルム固定ストッパー
２６              切り欠き
２７              有底凹部
【図１】
2004334146.tif 000003
【図２】
2004334146.tif 000004
【図３】
2004334146.tif 000005
【図４】
2004334146.tif 000006
【図５】
2004334146.tif 000007
【図６】
2004334146.tif 000008
【図７】
2004334146.tif 000009
【図８】
2004334146.tif 000010
【図９】
2004334146.tif 000011
【図１０】
2004334146.tif 000012
【図１１】
2004334146.tif 000013
【図１２】
2004334146.tif 000014